(57)【要約】【課題】本発明は、電気機器の電材部品をモータの磁界の影響を受け難いように、かつバッテリパックの２次電池に対して熱の影響を与えないように設置することを目的とする。【解決手段】本発明に係る電気機器は、バッテリパックが電気機器本体部に連結される構成の電気機器であって、電気機器本体部には、バッテリパックが連結される連結部が形成されて、その連結部にバッテリパックの端子が接続される少なくとも一対のターミナル３１，３２を備えるターミナル支持板３０が固定されており、ターミナル支持板３０には、連結部から露出する表面側にターミナル３１，３２が設けられており、その連結部の内側に位置するターミナル支持板３０の裏面側に電材部品５１，５３が取付けられる構成である。【選択図】図３
2010030024.tif 000002
【特許請求の範囲】
【請求項１】
２次電池と、その２次電池のエネルギーを伝える少なくとも二つの端子を備える電動工具用のバッテリパックが電気機器本体部に連結される構成の電気機器であって、
前記電気機器本体部には、前記バッテリパックが連結される連結部が形成されて、その連結部に前記バッテリパックの端子が接続される少なくとも一対のターミナルを備えるターミナル支持板が固定されており、
前記ターミナル支持板には、前記連結部から露出する表面側に前記ターミナルが設けられており、その連結部の内側に位置する前記ターミナル支持板の裏面側に電材部品が取付けられる構成であることを特徴とする電気機器。
【請求項２】
請求項１に記載された電気機器であって、
前記ターミナル支持板の裏面には、電材部品が収納される凹部が形成されており、その凹部の開口が前記ターミナル支持板に重ねられる部材によって保持されるように構成されていることを特徴とする電気機器。
【請求項３】
請求項１又は請求項２のいずれかに記載された電気機器であって、
前記電材部品は、不正持出し禁止タグ又はヒューズであることを特徴とする電気機器。
【請求項４】
請求項１から請求項３のいずれかに記載された電気機器であって、
前記電気機器本体部は、先端工具と、その先端工具に回転力を付与するモータが収納される筒状のハウジング本体部と、そのハウジング本体部の側面に半径方向外側に突出するように形成されたグリップ部とを備えており、
前記電気機器本体部のグリップ部の突出端に前記バッテリパックが連結される連結部が形成されていることを特徴とする電気機器。
【請求項５】
請求項１から請求項４のいずれかに記載された電気機器であって、
前記ターミナル支持板に設けられた少なくとも一対のターミナルはレール状に形成されていることを特徴とする電気機器。
【発明の詳細な説明】
【技術分野】
【０００１】
本発明は、２次電池と、その２次電池のエネルギーを伝える少なくとも二つの端子を備える電動工具用のバッテリパックが電気機器本体部に連結される構成の電気機器に関する。
【背景技術】
【０００２】
従来の手持ち式の電気機器（電動工具）が特許文献１に記載されている。
この電動工具では、ハウジング本体部の内壁面におけるモータ後方位置にＲＦＩＤタグが装着されている。ＲＦＩＤタグは、電動工具の情報、例えば、製造年月日、機種名、販売店等の情報を記憶して、その情報を読み取り器等に送ることが可能な電材部品であり、微小な無線ＩＣチップから構成されている。
また、電動工具のバッテリパックに関する技術が特許文献２に記載されている。このバッテリパックでは、ハウジングの内側にヒューズ等の電材部品が設けられている。
【０００３】
【特許文献１】特開２００６−１４２４０２号公報
【特許文献２】特開２０００−２４３３６２号公報
【発明の開示】
【発明が解決しようとする課題】
【０００４】
しかし、ＲＦＩＤタグ等の電材部品をモータの近傍に取付ける構成では、モータの磁界の影響でＲＦＩＤタグ等が誤作動を起こす可能性がある。
また、バッテリパックのハウジング内にヒューズ等の電材部品を設ける構成では、２次電池がヒューズ溶断時の熱の影響を受け易く、好ましくない。
【０００５】
本発明は、上記問題点を解決するためになされたものであり、本発明が解決しようとする課題は、電気機器の電材部品を例えばモータの磁界の影響を受け難いように、かつバッテリパックの２次電池に対して熱の影響を与えないように設置することである。
【課題を解決するための手段】
【０００６】
上記した課題は、各請求項の発明によって解決される。
請求項１の発明は、２次電池と、その２次電池のエネルギーを伝える少なくとも二つの端子を備える電動工具用のバッテリパックが電気機器本体部に連結される構成の電気機器であって、前記電気機器本体部には、前記バッテリパックが連結される連結部が形成されて、その連結部に前記バッテリパックの端子が接続される少なくとも一対のターミナルを備えるターミナル支持板が固定されており、前記ターミナル支持板には、前記連結部から露出する表面側に前記ターミナルが設けられており、その連結部の内側に位置する前記ターミナル支持板の裏面側に電材部品が取付けられる構成であることを特徴とする。
【０００７】
本発明によると、電気機器本体部には、電動工具用のバッテリパックが連結される連結部が形成されており、その連結部にターミナル支持板が固定されている。そして、前記ターミナル支持板の裏面側に電材部品が取付けられている。即ち、電材部品は電気機器本体部のモータ等から離れているため、前記電材部品がモータ等の磁界の影響をほとんど受けることがない。
また、電材部品は電気機器本体部のターミナル支持板に取付けられているため、例えば、ヒューズ等の電材部品が発熱した場合でも、その熱の影響がバッテリパック内の２次電池等に及ぶことがない。
【０００８】
請求項２の発明によると、ターミナル支持板の裏面には、電材部品が収納される凹部が形成されており、その凹部の開口が前記ターミナル支持板に重ねられる部材によって保持されるように構成されていることを特徴とする。
このため、電材部品の取付けが容易になるとともに、電材部品が外れ難くなる。
【０００９】
請求項３の発明によると、電材部品は、不正持出し禁止タグ又はヒューズであることを特徴とする。
請求項４の発明によると、電気機器本体部は、先端工具と、その先端工具に回転力を付与するモータが収納される筒状のハウジング本体部と、そのハウジング本体部の側面に半径方向外側に突出するように形成されたグリップ部とを備えており、前記電気機器本体部のグリップ部の突出端に前記バッテリパックが連結される連結部が形成されていることを特徴とする。
このため、電材部品を電気機器本体部のモータから最も離れた位置に配置することができる。
請求項５の発明によると、ターミナル支持板に設けられた少なくとも一対のターミナルはレール状に形成されていることを特徴とする。
【発明の効果】
【００１０】
本発明によると、電気機器の電材部品をモータの磁界の影響を受け難いように、かつバッテリの２次電池に対して熱の影響を与えないように設置できるようになる。
【発明を実施するための最良の形態】
【００１１】
（実施形態１）
以下、図１から図４に基づいて、本発明の実施形態１に係る電気機器の説明を行なう。本実施形態に係る電気機器は、モータを駆動源とするバッテリ式のインパクトドライバ（以下、電動工具という）である。ここで、図１は電動工具の全体側面図、図２は電動工具本体部の縦断面図である。また、図３はターミナル支持板を表す斜視図であり、図４はターミナル支持板の変更例を表す斜視図である。
なお、図中の前後左右及び上下は、電動工具の前後左右及び上下を表している。
【００１２】
＜電動工具の概要について＞
本実施形態に係る電動工具本体部１０のハウジング１１は、図１に示すように、筒状のハウジング本体部１２と、そのハウジング本体部１２の側部（図１では下部）から突出するように形成された筒状のグリップ部１５とから構成されている。グリップ部１５の基端部には、使用者が指先で引き操作するトリガ形式のスイッチレバー１５ｒが設けられている。また、グリップ部１５の先端部（突出端）には、バッテリパック１８が連結されるように構成されている。
【００１３】
ハウジング本体部１２には、図２に示すように、後側から順番にモータ２０、遊星歯車機構２４、スピンドル（図示省略）、打撃力発生機構２６、及びアンビル２７が同軸に収納されている。前記モータ２０の回転は、遊星歯車機構２４で減速され、前記スピンドルを介して打撃力発生機構２６に伝達される。そして、打撃力発生機構２６により回転打撃力に変換された後、アンビル２７に伝えられる。アンビル２７は、回転打撃力を受けて軸回りに回転する部分であり、その先端部にドライバビットやソケットビット等の先端工具（図示省略）を装着するためのチャック部２７ｔが設けられている。
グリップ部１５の先端部（下端部）には、図１に示すように、バッテリパック１８が連結される連結部１５ｃが形成されている。そして、グリップ部１５の連結部１５ｃの内側には、図２に示すように、バッテリパック１８の電源端子（図示省略）が接続されるターミナル３１，３２を備えるターミナル支持板３０が固定されている。また、ターミナル支持板３０の上側には、モータ２０の電気回路基板４３を収納するケース４０がそのターミナル支持板３０に重ねられた状態で取付けられている。
即ち、電動工具本体部１０が本発明の電気機器本体部に相当する。
【００１４】
＜ターミナル支持板３０について＞
ターミナル支持板３０は、正側（左側）、負側（右側）のターミナル３１，３２をグリップ部１５の連結部１５ｃの所定位置に固定するため蓋状部材である。
ターミナル支持板３０は、図３（Ａ）に示すように、角形の平板部３５と、その平板部３５の後側に設けられた端子部３６とから構成されている。平板部３５は、その上面３５ｕ側がグリップ部１５の内側に配置されるように構成されており、その上面３５ｕが端子部３６の上面３６ｕと等しい高さ位置に形成されている。そして、平板部３５の上面３５ｕと端子部３６の上面３６ｕとの境界位置に、左右方向に延びる浅い角形窪み部３４が設けられている。角形窪み部３４には、帯板状の不正持出し禁止タグ５１、あるいはＲＦＩＤタグ５３等の電材部品が嵌め込まれるように構成されている。そして、角形窪み部３４に不正持出し禁止タグ５１、あるいはＲＦＩＤタグ５３等が収納された状態で、ターミナル支持板３０に上側にモータ２０の電気回路基板４３を収納するケース４０が重ねられ、ターミナル支持板３０の角形窪み部３４の開口が塞がれる。
ここで、不正持出し禁止タグ５１は、例えば、販売店等において電動工具を不正に持出するのを禁止するタグであり、電動工具の不正持出し時に警報器等に対して動作信号を出力できるように構成されている。
また、ＲＦＩＤタグ５３は、前述のように、物品の情報、例えば、製造年月日、機種名、販売店等の情報を記憶して、その情報を読み取り器等に送ることが可能な電材部品であり、微小な無線ＩＣチップから構成されている。
【００１５】
平板部３５の下面３５ｄは、グリップ部１５から露出している部分であり、図３（Ｂ）に示すように、その平板部３５の下面３５ｄと端子部３６との間に左右方向に延びる隔壁部３６ｗが設けられている。さらに、平板部３５の下面３５ｄの左右両側には、隔壁部３６ｗの位置から平板部３５の前端位置まで延びる突条３５ｔが形成されている。隔壁部３６ｗ及び左右の突条３５ｔは、左右のターミナル３１，３２を支える部分であり、前記隔壁部３６ｗがターミナル３１，３２の高さ寸法より若干高くなるように形成されている。また、突条３５ｔの高さ寸法がターミナル３１，３２の上端縁を支持できる高さ寸法に設定されている。
【００１６】
左右のターミナル３１，３２は、図３（Ｂ）に示すように、帯板状の導体を平面略Ｚ字形に折り曲げることにより左右対称に形成されており（点線参照）、基端部３１ｍ，３２ｍと、Ｚ字形折り曲げ部３１ｒ，３２ｒと、先端部３１ｘ，３２ｘとから構成されている。そして、前記ターミナル３１，３２のＺ字形折り曲げ部３１ｒ，３２ｒがターミナル支持板３０の隔壁部３６ｗに埋め込まれている。また、ターミナル３１，３２の先端部３１ｘ，３２ｘは、上端縁の部分がターミナル支持板３０の突条３５ｔに埋め込まれており、上端縁以外の部分が露出している。即ち、前記ターミナル３１，３２のＺ字形折り曲げ部３１ｒ，３２ｒがターミナル支持板３０の隔壁部３６ｗに埋め込まれ、先端部３１ｘ，３２ｘの上端縁がターミナル支持板３０の突条３５ｔに埋め込まれることで、左右のターミナル３１，３２はターミナル支持板３０に固定される。
左右のターミナル３１，３２は、先端部３１ｘ，３２ｘの露出部分がレール状に形成されており、バッテリパック１８の電源端子（図示省略）に接続されるように構成されている。また、左右のターミナル３１，３２の基端部３１ｍ，３２ｍは、ターミナル支持板３０の端子部３６の位置でモータ２０の電気回路基板４３の電源ケーブル（図示省略）が接続されるように構成されている。
即ち、ターミナル支持板３０の上面３５ｕが本発明のターミナル支持板の裏面に相当し、ターミナル支持板３０の下面３５ｄが本発明のターミナル支持板の表面に相当する。また、角形窪み部３４が本発明の凹部に相当し、ケース４０が本発明のターミナル支持板に重ねられる部材に相当する。
【００１７】
＜本実施形態に係る電動工具１０の長所について＞
本実施形態に係る電動工具１０によると、不正持出し禁止タグ５１、あるいはＲＦＩＤタグ５３等の電材部品はグリップ部１５の突出端内側に位置するターミナル支持板３０の裏面（上面３５ｕ）側に取付けられている。このため、不正持出し禁止タグ５１等はハウジング本体部１２に収納されたモータ２０から離れている。したがって、不正持出し禁止タグ５１等がモータ２０の磁界の影響をほとんど受けることがなく、誤動作等が発生し難くなる。
また、ターミナル支持板３０の裏面（上面３５ｕ）には、前記電材部品が収納される角形窪み部３４（凹部３４）が形成されており、その凹部３４の開口がターミナル支持板３０に重ねられる電気回路基板４３のケース４０によって塞がれる。このため、前記電材部品の取付けが容易になるとともに、電材部品が外れ難くなる。
【００１８】
＜変更例＞
ここで、本発明は上記実施形態に限定されるものではなく、本発明の要旨を逸脱しない範囲における変更が可能である。例えば、本実施形態では、ターミナル支持板３０の上面３５ｕ側に不正持出し禁止タグ５１、あるいはＲＦＩＤタグ５３等の電材部品を取付ける例を示したが、図４に示すように、例えば、不正持出し禁止タグ５１、あるいはＲＦＩＤタグ５３の代わりにヒューズ３８等を取付ける構成でも可能である。この場合、ターミナル支持板３０の上面３５ｕに設けられたヒューズ３８とターミナル支持板３０の下面に設けられたターミナル３１及び端子（図示省略）とを導線３７ａ，３７ｂ等を利用して直列に接続する。このように、ヒューズ３８をターミナル３１が設けられている面（下面）と反対側（上面３５ｕ）に取付ける構成のため、例えば、ヒューズ３８が溶断した場合でも、その熱がターミナル支持板３０で遮られ、前記熱の影響がバッテリパック１８の２次電池等に及ぶことがない。
また、前記ヒューズ３８の代わりに、抵抗やコイル、コンデンサ等の電材部品をターミナル支持板３０の上面３５ｕに設ける構成も可能である。
また、本実施形態では、ターミナル支持板３０の凹部３４に不正持出し禁止タグ５１等を収納した後、その凹部３４を電気回路基板４３のケース４０で塞ぐ例を示したが、前記ケース４０の代わりにハウジング１１に形成されたリブ等で塞ぐ構成でも可能である。
また、本実施形態では、バッテリ式のインパクトドライバを電気機器の一例として例示したが、インパクトドライバのみならずバッテリ式のドリル、マルノコ、レーザ式墨出し器、ライト等に本発明を適用することが可能である。
【図面の簡単な説明】
【００１９】
【図１】本実施形態に係る電動工具の全体側面図である。
【図２】電動工具本体部の縦断面図である。
【図３】ターミナル支持板を表す斜視図（Ａ図、Ｂ図）である。
【図４】ターミナル支持板の変更例を表す斜視図である。
【符号の説明】
【００２０】
１０・・・・・電動工具本体部（電気機器本体部）
１２・・・・・ハウジング本体部
１５・・・・・グリップ部
１５ｃ・・・・連結部
１８・・・・・バッテリパック
２０・・・・・モータ
３０・・・・・ターミナル支持板
３１・・・・・ターミナル
３２・・・・・ターミナル
３４・・・・・角形窪み部（凹部）
３５ｕ・・・・上面（裏面）
３５ｄ ・・・・下面（表面）
３８・・・・・ヒューズ（電材部品）
４０・・・・・ケース（ターミナル支持板に重ねられる部材）
４３・・・・・電気回路基板
５１・・・・・不正持出し禁止タグ（電材部品）
５３・・・・・ＲＦＩＤタグ（電材部品）
【図１】
2010030024.tif 000003
【図２】
2010030024.tif 000004
【図３】
2010030024.tif 000005
【図４】
2010030024.tif 000006